(57)【要約】【課題】土圧に対する異方性を小さくできると共に、製造コストを抑制する。【解決手段】充填ブロック３０は、全体として略立方体の箱状に形成されている。充填ブロック３０には、筒体状の側板３２が形成されると共に、この側板３２の頂面側を閉止する頂板４０が一体的に形成されている。充填ブロック３０は頂板４０と対向する箱面が開口されて開口部３４とされている。開口部３４には、外周側へ延出するように底板部３４Ａが外周に沿って形成され、底板部３４Ａの外周には、底板部３４Ａを開口と逆側に折り返した折返部３４Ｂが全周に亘って形成されている。充填ブロック３０は、上面視で縦方向Ａの長さと、横方向Ｂの長さが等しい、正方形状とされている。【選択図】図３
2012057442.tif 000002
【特許請求の範囲】
【請求項１】
上面からみて正方形状とされ、高さ方向に沿った一端側が開口した筒状の側板及び該側板の他端側を閉止する頂板が一体的に形成された複数の箱状の充填ブロックが、水平方向に隣接する充填ブロックが互いに接するように配列されると共に、隣り合う上下方向の前記充填ブロックが前記頂面同士または前記開口側に形成された開口部同士が向き合い、互いに縦横に半幅ずれるように配列されて積層された積層充填ブロック群と、
前記充填ブロックを上面視で２分割した形状のハーフ充填ブロックが前記積層充填ブロック群の端辺に配列された端辺充填ブロック群と、
前記充填ブロックを上面視で４分割した形状のクォーター充填ブロックが前記積層充填ブロック群の角部に配列された角部充填ブロック群と、
を備えた雨水貯留槽充填構造。
【請求項２】
前記頂面及び前記開口部には、上下方向に積層される前記充填ブロック同士を連結させる連結部が形成されていること、を特徴とする請求項１に記載の雨水貯留槽充填構造
【請求項３】
前記充填ブロックの前記側板は、縦方向の中央部及び横方向の中央部で箱内側へ入り込み、縦横に２個ずつ配列された凸部が形成されていること、を特徴とする請求項１または請求項２に記載の雨水貯留槽充填構造。
【請求項４】
地面に形成された凹状のピットの内表面を覆うように敷設された遮水シートと、
前記遮水シートの内側に構築された請求項１〜３のいずれか１項に記載の雨水貯留槽充填構造と、
を有する雨水貯留槽。
【発明の詳細な説明】
【技術分野】
【０００１】
本発明は、雨水を貯留又は地中に浸透させる等のために用いられる雨水貯留槽、及び、雨水貯留槽を構成する雨水貯留槽充填構造に関する。
【背景技術】
【０００２】
近年、特に都市部や工場地帯での地層における保水力低下を補うために、地下に多量の雨水を貯留し、この雨水を序々に地層中へ浸透させる設備や、一旦、貯留した多量の雨水を十分な時間をかけて河川等へ放流する設備や、貯留した雨水を汲み上げて防火水等として使用する設備（これらの設備を包括して「雨水貯留槽」という。）などの開発が進んでいる。
【０００３】
このような雨水貯留槽としては、例えば、特許文献１に記載されたものが知られている。特許文献１には、箱形の複数の充填部材を遮水シート上に隙間なく敷き詰め、高さ方向にも、同様の充填部材を積層して、貯水ピット内に充填構造体を構築している。しかしながら、特許文献１の個々の充填部材は、縦横の長さが異なる長方形状であるため、土圧に対して、異方性が出やすい。
【０００４】
また、特許文献１では、上下方向に隣接する充填部材同士は、下側及び上側に配置された充填部材で水平方向に跨ぐように配置されているため、充填部材同士の水平方向の連結部分が充填構造体全体で分散され、連結部分が上下方向で同じ位置に配置されている場合と比較してモーメントの集中を抑制することができるというメリットを有している。しかしながら、充填構造体の端部を充填するために、主に使用される充填部材とは、全く異なる形状の補助部材を用いる必要があり、製造コストが高くなっていた。
【先行技術文献】
【特許文献】
【０００５】
【特許文献１】特開２００８−２２３４１８号公報
【発明の概要】
【発明が解決しようとする課題】
【０００６】
本発明は、上記事実を考慮して成されたものであり、異方性を低減すると共に、製造コストが抑制された雨水貯留槽充填構造、及び、この雨水貯留槽充填構造を用いた雨水貯留槽を提供することを目的とする。
【課題を解決するための手段】
【０００７】
上記課題を解決するため、請求項１に係る雨水貯留槽充填構造は、上面からみて正方形状とされ、高さ方向に沿った一端側が開口した筒状の側板及び該側板の他端側を閉止する頂板が一体的に形成された複数の箱状の充填ブロックが、水平方向に隣接する充填ブロックが互いに接するように配列されると共に、隣り合う上下方向の前記充填ブロックが前記頂面同士または前記開口側に形成された開口部同士が向き合い、互いに縦横に半幅ずれるように配列されて積層された積層充填ブロック群と、前記充填ブロックを上面視で２分割した形状のハーフ充填ブロックが前記積層充填ブロック群の端辺に配列された端辺充填ブロック群と、前記充填ブロックを上面視で４分割した形状のクォーター充填ブロックが前記積層充填ブロック群の角部に配置された角部充填ブロック群と、を備えている。
【０００８】
請求項１に係る雨水貯留槽充填構造では、充填ブロックが配列された積層充填ブロック群がメイン構造となり、積層充填ブロック群の端辺にハーフ充填ブロックを配列した端辺充填ブロック群が形成され、積層充填ブロック群の角部にクォーター充填ブロックを配置した角部充填ブロック群が形成される。
【０００９】
メイン構造の積層充填ブロック群を構成する充填ブロックは、上面からみて正方形状なので、土圧に対する異方性を低減することができる。
【００１０】
また、充填ブロックは、隣り合う上下方向で、互いに縦横に半幅ずれるように配列されて積層されているので、水平方向に隣り合う充填ブロック同士の連結部分が上下方向で分散される。したがって、連結部分が上下方向で同じ位置に配置されている場合と比較してモーメントの集中を抑制することができる。
【００１１】
また、本発明の雨水貯留槽充填構造を構成する、ハーフ充填ブロック及びクォーター充填ブロックは、充填ブロックを２分割または４分割した形状とされているので、簡易に製造することができる。
【００１２】
請求項２に係る雨水貯留槽充填構造は、前記頂面及び前記開口部には、上下方向に積層される前記充填ブロック同士を連結させる連結部が形成されていること、を特徴とする。
【００１３】
このように、充填ブロックに連結部を形成し、上下の充填ブロックを連結することにより、充填ブロックのずれを抑制することができる。
【００１４】
請求項３に係る雨水貯留槽充填構造は、前記充填ブロックの前記側板が、縦方向の中央部及び横方向の中央部で箱内側へ入り込み、縦横に２個ずつ配列された凸部が形成されていること、を特徴とする。
【００１５】
このように、側板で凸部を形成することにより、箱状の充填ブロックに角部が多く構成され、上下方向の強度を高くすることができる。
【００１６】
請求項４に係る雨水貯留槽は、地面に形成された凹状のピットの内表面を覆うように敷設された遮水シートと、前記遮水シートの内側に構築された請求項１〜３のいずれか１項に記載の雨水貯留槽充填構造と、を有する。
【００１７】
請求項４の雨水貯留槽によれば、請求項１〜３のいずれか１項に記載の雨水貯留槽充填構造が用いられているので、水平方向の土圧に対する異方性を低減できると共に、製造コストも抑制することができる。
【発明の効果】
【００１８】
以上説明したように、本発明の雨水貯留槽充填構造によれば、土圧に対する異方性を小さくできると共に、製造コストを抑制することができる。
【図面の簡単な説明】
【００１９】
【図１】本発明の実施形態に係る雨水貯留浸透槽の構成を模式的に示す断面図である。
【図２】図１に示される雨水貯留槽における遮水保護層の構成を示す断面図である。
【図３】本発明の雨水貯留槽に用いられる充填ブロックの構成を示す（Ａ）は頂板側からみた斜視図であり、（Ｂ）は底板側からみた斜視図である。
【図４】本発明の雨水貯留槽に用いられるハーフ充填ブロックの構成を示す（Ａ）は頂板側からみた斜視図であり、（Ｂ）は底板側からみた斜視図である。
【図５】本発明の雨水貯留槽に用いられるクウォータ充填ブロックの構成を示す（Ａ）は頂板側からみた斜視図であり、（Ｂ）は底板側からみた斜視図である。
【図６】本実施形態の雨水貯留槽に用いられる雨水貯留槽充填構造体の第１段目の構成を示す斜視図である
【図７】本実施形態の雨水貯留槽に用いられる雨水貯留槽充填構造体の第２段目に積層される充填ブロックの位置を示す斜視図である
【図８】本実施形態の雨水貯留槽に用いられる雨水貯留槽充填構造体の第１、第２段目の構成（ハーフ、及び、クォータ充填ブロックなし）を示す斜視図である
【図９】本実施形態の雨水貯留槽に用いられる雨水貯留槽充填構造体の第１、第２段目の構成（クウォータ充填ブロックなし）を示す斜視図である
【図１０】本実施形態の雨水貯留槽に用いられる雨水貯留槽充填構造体の第１、第２段目の構成を示す斜視図である
【図１１】本実施形態の雨水貯留槽に用いられる雨水貯留槽充填構造体の第１〜第３段目の構成を示す斜視図である
【図１２】本実施形態の雨水貯留槽に用いられる雨水貯留槽充填構造体を横方向からみた図である
【図１３】本発明の雨水貯留槽に用いられる充填ブロックの変形例の構成を示す底板側からみた斜視図である。
【図１４】図１３に示す充填ブロックの連結構成を示す斜視図である。
【発明を実施するための形態】
【００２０】
以下、本発明の実施形態に係る雨水貯留槽、雨水貯留槽充填構造を、図面に基づいて説明する。
【００２１】
（雨水貯留槽の構成）
【００２２】
図１には本発明の実施形態に係る雨水貯留槽が模式的に示されている。図１に示されるように、雨水貯留槽１０は地中Ｆに埋設されるものであり、その付帯設備として流入桝１２及び流出桝１４を備えている。
【００２３】
図１に示される雨水貯留槽１０を設置する際には、先ず、雨水を回収し、貯留する対象となる敷地の地表面から凹状のピットＰを掘り下げ、このピットＰの内表面を遮水保護層１６により隙間なく覆った後、遮水保護層１６により覆われたピットＰ内に略直方体状に形成された所定容積の雨水貯留槽充填構造１８を構築する。
【００２４】
次いで、雨水貯留槽充填構造１８の頂面側を遮水シート２０により隙間なく覆って、雨水貯留槽充填構造１８の外側を遮水保護層１６及び遮水シート２０により密封した後、雨水貯留槽充填構造１８が内部に配置されたピットＰを土により埋め戻して雨水貯留槽充填構造１８の上側を覆土層２２により覆う。なお、地下に雨水貯留槽１０が設置される敷地では、通常、地表面の大部分がコンクリート、アスファルト等の非浸水性の舗装材により覆われる。
【００２５】
敷地には、雨水貯留槽１０の周辺に鉄筋コンクリート等により容器状に形成された流入桝１２が埋設されると共に、雨水貯留槽１０に隣接して鉄筋コンクリート等により容器状に形成された流出桝１４が埋設される。流入桝１２は、例えば、敷地を所定の面積を有する複数の領域に区画し、その領域毎に流入桝１２を設置し、これらの流入桝１２にそれぞれ雨水が流れ込むようなっている。ここで、雨水貯留槽１０に最も近接した１個乃至複数個の流入桝１２は、通水管２４を通して他の流入桝１２に接続されている。これにより、敷地全体に降った雨水は、雨水貯留槽１０に最も近接した流入桝１２内に一旦、集水される。
【００２６】
流入桝１２は、その側壁部の下端寄りの部位に流入管２６の一端部が接続されると共に、側壁部における流入管２６との接続部の上側にオーバフロー管２８の一端部が接続されている。流入管２６の他端側は、遮水保護層１６を貫通して雨水貯留槽１０内へ連通し、またオーバフロー管２８の他端部は流出桝１４の側壁部の上端寄りの部位に接続されている。
【００２７】
流出桝１４は、その側壁部の下端部にオリフィス管２５の一端部が接続されると共に、側壁部の上端部にオーバフロー管２７の一端部が接続されている。オリフィス管２５及びオーバフロー管２７の他端部は、それぞれ河川、河川等へ繋がった通水管、排水用の暗渠、下水道等の排水経路に繋がっている。ここで、流出桝１４内には、雨水貯留槽１０からオーバフローした雨水が流れ込み、この雨水が一時的に貯留される。またオリフィス管２５は、流出桝１４内から排水経路へ流出する雨水の流量を制限するオリフィスとしての機能を有している。
【００２８】
遮水保護層１６は、図２に示されるように、外側保護マット１６Ａ、遮水シート２０及び内側保護マット１６Ｂからなる３層構造とされている。外側保護マット１６Ａ及び内側保護マット１６Ｂは、それぞれポリエステル短繊維を素材とし、十分な柔軟性を有する不織布により構成されている。外側保護マット１６Ａ及び内側保護マット１６Ｂは、それぞれ応力集中を緩和することにより、土圧及び雨水貯留槽充填構造１８の重量に起因する荷重から雨水貯留槽充填構造１８及び遮水シート２０を保護する。
【００２９】
雨水貯留槽１０の雨水貯留槽充填構造１８は、図３に示される充填ブロック３０を複数並べ、かつ積層した積層充填ブロック群６０を、メインの構造として構成されている。また、積層充填ブロック群６０の外周には、図４に示されるハーフ充填ブロック５０を複数並べ、かつ積層した端辺充填ブロック群６２、図５に示されるクォーター充填ブロック５２を複数並べ、かつ積層した角部充填ブロック群６４が配列されている。積層充填ブロック群６０、端辺充填ブロック群６２、及び、角部充填ブロック群６４の詳細については後述する。
【００３０】
（充填ブロックの構成）
【００３１】
充填ブロック３０の成形素材としては、ポリプロピレン（ＰＰ）、ポリエチレン（ＰＥ）（特に高密度ポリエチレン（ＨＤＰＥ））等のポリオレフィン系樹脂が化学的な安定性、機械的な強度、及び価格の面から好ましい。ここで、樹脂のメルトフローレート（ＭＦＲ）（ＪＩＳ  Ｋ７２１０）は、加工性及び機械的な強度を考慮して１０（Ｆ／１０分）〜１５（Ｆ／１０分）のものがよい。また、これらに充填剤としてカーボンブラックを１〜３％加えて耐光性を高めてもよい。なお、設置場所が高温になる場所ではないため、酸化防止剤は加えなくてもよい。また、不飽和ポリエステルを基材とするＦＲＰを使用してもよい。
【００３２】
充填ブロック３０は、中空容器状に成形されている。充填ブロック３０の肉厚は、製品１個当たりの重量及び機械的な強度等を考慮して２ｍｍ〜３ｍｍに設定されている。充填ブロック３０は、射出成形法や、プレス法によって成形することができる。
【００３３】
図３（Ａ）、図３（Ｂ）に示されるように、充填ブロック３０は、全体として略立方体の箱状（中空容器状）に形成されている。充填ブロック３０には、筒体状の側板３２が形成されると共に、この側板３２の頂面側を閉止する頂板４０が一体的に形成されている。充填ブロック３０は頂板４０と対向する箱面が開口されて開口部３４とされている。開口部３４には、外周側へ延出するように底板部３４Ａが外周に沿って形成され、底板部３４Ａの外周には、底板部３４Ａを開口と逆側に折り返した折返部３４Ｂが全周に亘って形成されている。ここで、充填ブロック３０は、上面視で縦方向Ａの長さＳＡと、横方向Ｂの長さＳＢが等しい、正方形状とされている。
【００３４】
上面視で、側板３２の縦方向Ａの中央部、及び、横方向の中央部は、箱内側へ入り込み、縦方向Ａに２個と横方向Ｂに２個で配列された略角錐台状の凸部３６Ａ〜３６Ｄ（これらを包括して言う場合には、単に「凸部３６」という。）が形成されている。この凸部３６Ａ〜３６Ｄは、開口側から頂部側へ向って縦方向及び横方向に沿った寸法が序々に小さくなるテーパ状に形成されている。また凸部３６Ａ〜３６Ｄの縦方向Ａ及び横方向Ｂに沿った間隔はそれぞれ等しいものになっている。これらの凸部３６が形成されることにより、側板３２に、隣り合う凸部３６同士を連結する内壁面部３８が構成される。このように、凸部３６が形成されていることにより、充填ブロック３０の側面に角部が多数形成され、鉛直方向の荷重に対する強度が高くなっている。
【００３５】
また、凸部３６が形成されることにより、側板３２における凸部３６Ａ〜３６Ｄ間に、それぞれ箱内側へ凹んだ窪み部３８Ａ〜３８Ｄ（これらを包括して言う場合には、単に「窪み部３８」という。）が形成される。側板３２には、窪み部３８Ａ〜３８Ｄの下端側を閉止する窪み板部３５Ａ〜３５Ｄが、底板部３４Ａと一体的に形成されている。
【００３６】
頂板４０には、中央部にセンター板部４２が形成されると共に、センター板部４２から一体的に凸部３６Ａ〜３６Ｄの頂面を覆うように蓋板部４４Ａ〜４４Ｄ（これらを包括して言う場合には、単に「蓋板部４４」という。）が形成されている。蓋板部４４Ａ〜４４Ｄの中央部には、円形の穴４４Ｈが構成されている。蓋板部４４のうち、対角線上に配置された蓋板部４４Ａ、４４Ｃの穴４４Ｈの外周には、蓋板部４４Ａ、４４Ｃの上面から突出する円筒部４４Ｅが形成されている。円筒部４４Ｅは、蓋板部４４Ｂ、４４Ｄの穴４４Ｈに挿入可能な外径とされている。
【００３７】
底板部３４Ａ及び窪み板部３５Ａ〜３５Ｄには、底板部３４Ａの開口側の面から突出された係合凸部３３Ａ、及び、底板部３４Ａを貫通する係合孔３３Ｂが形成されている。係合凸部３３Ａ及び係合孔３３Ｂは、底板部３４Ａの４つの角部から縦方向Ａ及び横方向Ｂの端辺長さＳ１の１／４の位置に交互に形成されている。また、窪み板部３５Ａ〜３５Ｄの各々の凸部３６を挟んだ対向位置に、係合凸部３３Ａまたは係合孔３３Ｂが形成されている。底板部３４Ａに形成されているものが係合凸部３３Ａであれば、凸部３６を挟んだ対向位置に形成されるのは係合孔３３Ｂであり、底板部３４Ａに形成されているものが係合孔３３Ｂであれば、凸部３６を挟んだ対向位置に形成されるのは係合凸部３３Ａであるというように、対向する位置には係合凸部３３Ａと係合孔３３Ｂが対になるように形成されている。係合凸部３３Ａは、係合孔３３Ｂに嵌め込み可能とされている。
【００３８】
（ハーフ充填ブロックの構成）
【００３９】
図４に示されるように、ハーフ充填ブロック５０は、充填ブロック３０の横方向Ｂ（または縦方向Ａ）の中央で２分割した形状とされている。したがって、上面視で、ハーフ充填ブロック５０の横方向Ｂ（または縦方向Ａ）の寸法ＳＨは、充填ブロック３０の横方向Ｂ（または縦方向Ａ）の寸法の１／２となっている。
【００４０】
ハーフ充填ブロック５０は、凸部３６Ａ、３６Ｂを備えると共に、センター板部４２及び底板部３４が２分割され（以下２分割されたセンター板部４２を「ハーフセンター板４２Ｈ」、底板部３４Ａを「ハーフ底板部３４Ｈ」という）、凸部３６Ａと凸部３６Ｄの間の内壁面部３８及び窪み板部３５Ａ、凸部３６Ｂと凸部３６Ｃの間の内壁面部３８及び窪み板部３５Ｃも２分割されている（以下、２分割された内壁面部３８を「ハーフ内壁面部３８Ｈ」といい、２分割された窪み板部３５Ｂ、３５Ｄを、各々「ハーフ窪み板部３５ＢＨ」、「ハーフ窪み板部３５ＢＨ」という）。
【００４１】
（クォーター充填ブロックの構成）
【００４２】
図５に示されるように、クォーター充填ブロック５２は、充填ブロック３０の縦方向Ａの中央で２分割すると共に横方向Ｂの中央でも２分割した４分割の形状とされている。したがって、上面視で、クォーター充填ブロック５２の縦方向Ａ及び横方向Ｂの寸法ＳＱは、充填ブロック３０の縦方向Ａの寸法及び横方向Ｂの寸法の１／２となっている。
【００４３】
クォーター充填ブロック５２は、凸部３６Ａ、または、凸部３６Ｂを備える２種類、即ち、蓋板部４４に円筒部４４Ｅが形成されているものと、そうでないものが使用される。以下、蓋板部４４に円筒部４４Ｅが形成されているものをクォーター充填ブロック５２Ａといい、蓋板部４４に円筒部４４Ｅが形成されていないものをクォーター充填ブロック５２Ｂという。クォーター充填ブロック５２は、センター板部４２及び底板部３４が４分割され（以下４分割されたセンター板部４２を「クォーターセンター板４２Ｑ」、底板部３４を「クォーター底板部３４Ｑ」という）、内壁面部３８及び窪み板部３５Ａ〜３５Ｄは２分割されている（以下、クォーター充填ブロック５２の２分割された内壁面部３８を「クォーター内壁面部３８Ｑ」といい、２分割された窪み板部３５Ａ〜３５Ｄを、各々「クォーター窪み板部３５ＡＱ〜３５ＤＱ」という）。
【００４４】
（雨水貯留槽充填構造及び雨水貯留槽の構築方法）
【００４５】
次に、遮水保護層１６により内表面が覆われたピットＰ内に雨水貯留槽充填構造１８を構築する方法について説明する。先ず、作業者は、図６に示されるように、遮水保護層１６を介して充填ブロック３０をピットＰの底面上に配列する。このとき、充填ブロック３０の開口部３４が下向き（遮水保護層１６に当接する側）となり、隣り合う充填ブロック３０の凸部３６Ａ、３６Ｃが、凸部３６Ｂ、３６Ｄと隣接するように配列する。このとき、隣り合う充填ブロック３０は、互いに接するように、隙間なく配列する。そして、これらの充填ブロック３０によりピットＰの底面全体を覆う。これにより、雨水貯留槽充填構造１８の１段目が構成される。
【００４６】
次いで、図７に示されるように、作業者は、雨水貯留槽充填構造１８の第２段目となる複数個の充填ブロック３０を、第１段目の充填ブロック３０上に積み上げる。作業者は、充填ブロック３０の頂板４０が下向きとなり、第１段目を構成する複数個の充填ブロック３０に対して縦横に半幅ずれるように配列する。このとき、第１段目の最外周に配置される１列分の凸部３６上には位置しないようにし、第２段目の充填ブロック３０の蓋板部４４に形成された穴４４Ｈに第１段目の充填ブロック３０の円筒部４４Ｅが挿入され、第２段目の充填ブロック３０の蓋板部４４に形成された円筒部４４Ｅが第１段目の充填ブロック３０の穴４４Ｈに挿入されるようにして、上下の充填ブロック３０を係合させる。これにより、第２段目の１個の充填ブロック３０は、第１段目に配列された、隣接する４個の充填ブロック３０に係合される。上下方向の通水は、穴４４Ｈを介して行われるようになっている。
【００４７】
上記のようにして、第２段目の充填ブロック３０も、図８に示されるように、隣り合う充填ブロック３０が、互いに接するように、隙間なく配列する。
【００４８】
次いで、図９に示されるように、作業者は、ハーフ充填ブロック５０を、第１段目の充填ブロック３０の最外周の端辺部上に配置する。このとき、ハーフ窪み板部３５ＡＨ、ハーフ窪み板部３５ＣＨが、内側に配置されている充填ブロック３０側に配置され、第１段目を構成する複数個の充填ブロック３０に対して縦方向または横方向に半幅ずれて２個の充填ブロック３０を跨ぐように配列する。また、第１段目を構成する複数個の充填ブロック３０の蓋板部４４の穴４４Ｈに第２段目のハーフ充填ブロック５０の円筒部４４Ｅを挿入すると共に第１段目を構成する複数個の充填ブロック３０の円筒部４４Ｅを第２段目のハーフ充填ブロック５０の蓋板部４４の穴４４Ｈに挿入して、第１段目の充填ブロック３０と係合する。これにより第１段目の充填ブロック３０の最外周の４つの角部以外の凸部３６の上に、ハーフ充填ブロック５０が充填される。
【００４９】
次に、図１０に示されるように、作業者は、クォーター充填ブロック５２を、第１段目の充填ブロック３０の４つの角部上に配置する。第１段目の充填ブロック３０の蓋板部４４上に円筒部４４Ｅが配置されている場合には、第２段目のクォーター充填ブロック５２として蓋板部４４に円筒部４４Ｅを有さないクォーター充填ブロック５２Ｂを積層し、第１段目の充填ブロック３０の蓋板部４４上に円筒部４４Ｅが配置されていない場合（穴４４Ｈのみの場合）には、第２段目のクォーター充填ブロック５２として蓋板部４４に円筒部４４Ｅを有するクォーター充填ブロック５２Ａを積層する。
【００５０】
積層の際には、クォーター内壁面部３８Ｑが、ハーフ充填ブロック５０側に配置されるように配置する。また、クォーター充填ブロック５２Ａを用いる場合には、第１段目の充填ブロック３０の蓋板部４４の穴４４Ｈに円筒部４４Ｅを挿入し、クォーター充填ブロック５２Ｂを用いる場合には、第１段目の充填ブロック３０の蓋板部４４の円筒部４４Ｅを穴４４Ｈに挿入して、第１段目の充填ブロック３０と係合する。これにより第１段目の充填ブロック３０の４つの角部上にクォーター充填ブロック５２が充填される。
【００５１】
次いで、図１１に示されるように、第２段目の充填ブロック３０、ハーフ充填ブロック５０、クォーター充填ブロック５２上に、第３段目を構成する複数個の充填ブロック３０を積み上げる。これらの充填ブロック３０は、第１段目を構成する複数個の充填ブロック３０と同一方向及び同一位置に配置される。このとき、第２段目の充填ブロック３０、ハーフ充填ブロック５０、クォーター充填ブロック５２の底板部３４Ａ及び窪み板部３５Ａ〜３５Ｄに形成された係合凸部３３Ａ、及び、係合孔３３Ｂが、第３段目を構成する充填ブロック３０の底板部３４Ａ及び窪み板部３５Ａ〜３５Ｄに形成された係合孔３３Ｂ、及び、係合凸部３３Ａと、各々係合し合うように配置する。これにより、上下の充填ブロック３０が係合される。
【００５２】
以後同様に、偶数段目に積み上げられる充填ブロック３０、ハーフ充填ブロック５０、クォーター充填ブロック５２は、２段目の充填ブロック３０、ハーフ充填ブロック５０、クォーター充填ブロック５２と同一方向及び同一位置に配置され、奇数段目に積み上げられる充填ブロック３０は、１段目の充填ブロック３０と同一方向及び同一位置に配置される。このようにして充填ブロック３０、ハーフ充填ブロック５０、クォーター充填ブロック５２をピットＰ（雨水貯留槽１０）の深さに応じた段数だけ積み上げることにより、充填ブロック３０で構成される積層充填ブロック群６０、ハーフ充填ブロック５０で構成される端辺充填ブロック群６２、クォーター充填ブロック５２で構成される角部充填ブロック群６４により、図１に示されるように、ピットＰ内に雨水貯留槽充填構造１８が構築される。
【００５３】
作業者は、ピットＰ内に雨水貯留槽充填構造１８を構築した後、雨水貯留槽充填構造１８の上面側を遮水シート２０により隙間なく覆うと共に、必要な配管作業等を行った後に、雨水貯留槽充填構造１８の上側を土により埋め戻して覆土層２２を形成する。また敷地の地表面は、必要に応じてコンクリート、アスファルト等の舗装材により舗装され、又はブロック等が敷きつめられる。
【００５４】
（雨水貯留槽の作用）
【００５５】
次に、上記のように構成された雨水貯留槽１０の作用について説明する。
【００５６】
雨水貯留槽１０が設置された敷地では、雨が降ると敷地の地表面から流入桝１２内に雨水が一旦流入し、流入桝１２内に蓄えられた雨水が流入管２６を通して雨水貯留槽１０内へ流入する。このとき、流入桝１２内の水位がオーバフロー管２８の接続部よりも高くなると、流入桝１２内の雨水がオーバフロー管２８を通して流出桝１４へ直接流れ出し、流入桝１２から雨水が溢れることを防止している。
【００５７】
雨水貯留槽１０内へ流入した雨水は、雨水貯留槽１０と流出桝１４との間に設けられたオリフィス（図示省略）を通して雨水貯留槽１０から流出桝１４へ流れ出る。オリフィスは、雨水の流通量が流出桝１４に接続されたオリフィス管２５における雨水の流通量とバランスするように、水の流通量を制限している。また雨水貯留槽１０からの雨水の流出量を超える雨水が雨水貯留槽１０内へ継続的に流れ込み、雨水貯留槽１０が満水近くになると、雨水貯留槽１０内の雨水が流出桝１４内へオーバフローし、雨水貯留槽１０内から雨水が溢れることが防止される。
【００５８】
流出桝１４内へ流入した雨水は、オリフィス管２５を通して通水管、排水用の暗渠、下水道等の排水経路へ流れ出し、最終的に河川、海等へ放流される。またオリフィス管２５における雨水の流通量を超える雨水が流出桝１４内へ継続的に流れ込み、流出桝１４が満水近くになると、流出桝１４内の雨水がオーバフロー管２７を通って排水経路へ流れ出し、流出桝１４内から雨水が溢れることが防止される。
【００５９】
上記のような雨水貯留槽１０によれば、その内容積を敷地面積に応じて設定することにより、敷地に降った雨が地表面から直接、河川、下水等へ流れ込むことがなくなり、敷地面積に対応する量の雨水を雨水貯留槽１０内へ一旦蓄えた後、雨水を雨水貯留槽１０内から序々に雨水が河川、下水等へ流出させることができるので、短時間に多量の雨が降った場合（集中豪雨時）にも、河川、下水に許容流水量を超える雨水が流れる込むことを防止し、冠水、河川の氾濫等の水害を引き起こすことを効果的に防止できる。
【００６０】
また、本実施形態では、中空の充填ブロック３０は、上面からみて正方形状なので、雨水貯留槽充填構造１８の土圧に対する異方性を低減することができる。
【００６１】
また、充填ブロック３０は、図１２に示されるように、隣り合う上下方向で、互いに縦横に半幅ずれるように配列されて積層されている。したがって、水平方向に隣り合う充填ブロック３０は、上下の充填ブロック３０によって連結され、充填ブロック３０が互いにかみ合うように配置されると共に、水平方向に隣り合う充填ブロック３０同士の連結部分が上下方向で分散される。これにより、連結部分が上下方向で同じ位置に配置されている場合と比較して、せん断力ＦＨによるモーメントまたは応力の集中を抑制することができる。
【００６２】
また、本実施形態では、雨水貯留槽充填構造１８を構成する、ハーフ充填ブロック５０及びクォーター充填ブロック５２は、充填ブロック３０を２分割または４分割した形状とされているので、ハーフ充填ブロック５０及びクォーター充填ブロック５２用の金型などを必要とせず、簡易に製造することができる。
【００６３】
また、本実施形態では、雨水貯留槽充填構造１８は、上下方向に充填ブロック３０の開口部３４同士が向き合うように、または、充填ブロック３０の蓋板部４４同士が向き合うように積層されている。したがって、上下の充填ブロック３０の境界部分において、鉛直方向の圧力に対する強度を高くすることができる。
【００６４】
なお、本実施形態では、底板部３４Ａの開口側の面から突出された係合凸部３３Ａ、及び、底板部３４Ａを貫通する係合孔３３Ｂを用いて、底板部３４が向き合うように上下に積層される充填ブロック３０同士を連結したが、他の方法により連結してもよい。例えば、図１３に示されるように、底板部３４Ａの各端辺の中間部に切欠３９を構成し、図１４に示されるように、水平方向に隣接する切欠３９を合わせて連結孔３９Ａを構成し、この連結孔３９Ａに連結具３７を挿入することにより、上下の充填ブロック３０を連結してもよい。
【００６５】
切欠３９は、図１３に示されるように、テーパー部３９Ｔ及び孔部３９Ｈを有している。連結具３７は、水平方向に隣接する切欠３９を合わせて連結孔３９Ａを構成したときの、テーパー部３９Ｔに対応した形状の鍔部３７Ｔ、及び、孔部３９Ｈに挿通可能な挿通部３７Ｈを有している。挿通部３７Ｈを連結孔３９Ａの孔部３９Ｈへ挿通し、鍔部３７Ｔをテーパー部３９Ｔに係合させることにより、連結具３７を上下に積層される充填ブロック３０同士の間に挟み込んで、充填ブロック３０同士を連結することができる。
【符号の説明】
【００６６】
１０   雨水貯留槽
１８   雨水貯留槽充填構造
３０   充填ブロック
３４   底板部
３６   凸部
５０   ハーフ充填ブロック
５２   クォーター充填ブロック
６０   積層充填ブロック群
６２   端辺充填ブロック群
６４   角部充填ブロック群
【図１】
2012057442.tif 000003
【図２】
2012057442.tif 000004
【図３】
2012057442.tif 000005
【図４】
2012057442.tif 000006
【図５】
2012057442.tif 000007
【図６】
2012057442.tif 000008
【図７】
2012057442.tif 000009
【図８】
2012057442.tif 000010
【図９】
2012057442.tif 000011
【図１０】
2012057442.tif 000012
【図１１】
2012057442.tif 000013
【図１２】
2012057442.tif 000014
【図１３】
2012057442.tif 000015
【図１４】
2012057442.tif 000016